(57)【要約】【課題】  位置の特定までは不要な場合に、安価に携帯情報端末に組み込むことができる盗難防止装置を提供する。【解決手段】  ＣＤＭＡ端末１の盗難防止モード設定ボタン１１０が押されると、主制御部６０は時計部１３０からのタイマ割込により一定の時間間隔で磁気センサ部５０の出力値を取得し、前回の出力値との差が予め設定された閾値を越えたときにＣＤＭＡ端末１が移動したと判定し、ＲＡＭ８０からユーザが登録した電子メールの宛先を読み出し、ＣＤＭＡ部３０、変復調部２０、ＲＦ部１０を介して電子メールを送信することにより通知する。【選択図】  図１
2006126932.tif 000002
【特許請求の範囲】
【請求項１】
本体の角度または方位を捉えるセンサと、
一定の時間間隔で前記センサの出力値を取得し、前回取得した出力値との差が予め設定された閾値を越えたときに本体が移動したと判定する判定手段と、
前記判定手段が本体が移動したと判定したときに予め登録された宛先へ通知する通知手段と、
を備えることを特徴とする盗難防止装置。
【請求項２】
前記センサはＸ軸、Ｙ軸、Ｚ軸における地磁気の強さを検出する地磁気センサであり、
前記判定手段は、一定の時間間隔でＸ軸、Ｙ軸、Ｚ軸におけるセンサの出力値を取得し、前回取得した各軸の出力値との差のうち最大のものが、予め設定された閾値を越えたときに本体が移動したと判定することを特徴とする請求項１に記載の盗難防止装置。
【請求項３】
前記通知手段は、前記判定手段が本体が移動したと判定したときに予め登録されたメールアドレスに電子メールを送信することを特徴とする請求項１または請求項２に記載の盗難防止装置。
【発明の詳細な説明】
【技術分野】
【０００１】
この発明は、携帯情報端末の角度または方位の変化を捉えることによって該端末の移動を検知し、予め登録された宛先へ異常を通知する携帯情報端末における盗難防止装置に関する。
【背景技術】
【０００２】
携帯情報端末の盗難防止策としては、携帯情報端末にストラップ等を取り付けて首からかけたり、衣服に止めたりする手法が一般的に知られている。しかし、この手法はストラップ等の盗難防止用のツールが必要であり、携帯情報端末を常に肌身離さず携帯しなければならない。
これに対し、特許文献１ないし特許文献４に記載されているように、ＧＰＳによる位置検出機能を備え、盗まれたときに位置情報を送信する携帯電話等が知られている。これによれば、ストラップ等の盗難防止用のツールで物理的にくくりつける必要がなく、常に肌身離さず携帯する必要がない。
【特許文献１】特開平10-122895号公報
【特許文献２】特開2002-245592号公報
【特許文献３】特開2003-54369号公報
【特許文献４】昭59-68100号公報
【発明の開示】
【発明が解決しようとする課題】
【０００３】
しかし、上記の技術は位置の特定までは不要な場合であっても、高価なＧＰＳによる位置検出機能を備える必要がある。
この発明は、上記の事情に鑑みてなされたものであり、その目的は、位置の特定までは不要な場合に、安価に携帯情報端末に組み込むことができる携帯情報端末における盗難防止装置を提供することである。
【課題を解決するための手段】
【０００４】
この発明は上記の課題を解決するためになされたもので、請求項１に記載の発明は、本体の角度または方位を捉えるセンサと、一定の時間間隔で前記センサの出力値を取得し、前回取得した出力値との差が予め設定された閾値を越えたときに本体が移動したと判定する判定手段と、前記判定手段が本体が移動したと判定したときに予め登録された宛先へ通知する通知手段とを備えることを特徴とする盗難防止装置である。
【０００５】
請求項２に記載の発明は、請求項１に記載の盗難防止装置であって、前記センサはＸ軸、Ｙ軸、Ｚ軸における地磁気の強さを検出する地磁気センサであり、前記判定手段は、一定の時間間隔でＸ軸、Ｙ軸、Ｚ軸におけるセンサの出力値を取得し、前回取得した各軸の出力値との差のうち最大のものが、予め設定された閾値を越えたときに本体が移動したと判定することを特徴とする。
【０００６】
請求項３に記載の発明は、請求項１または請求項２に記載の盗難防止装置であって、前記通知手段は、前記判定手段が本体が移動したと判定したときに予め登録されたメールアドレスに電子メールを送信することを特徴とする。
【発明の効果】
【０００７】
この発明によれば、携帯情報端末の角度または方位の変化を捉え、本体の移動を検知すると予め登録された宛先へ異常を通知することにより、携帯情報端末の位置の特定までは不要な場合に、安価に盗難を防止することができる。また、携帯情報端末に異常が発生したときに、ユーザが遠方にいても即座に通知を受けることができる。
【発明を実施するための最良の形態】
【０００８】
以下、図面を参照し、この発明の実施の形態について説明する。図１は、この発明の実施の形態におけるＣＤＭＡ端末１の構成を表すブロック図である。図１のＣＤＭＡ端末１は例えばＣＤＭＡ（Ｃｏｄｅ  Ｄｉｖｉｓｉｏｎ  Ｍｕｌｔｉｐｌｅ  Ａｃｃｅｓｓ：符号分割多元接続）方式で通信を行う携帯電話機であるが、通信方式は本方式に限定されない。アンテナ１１は無線基地局との間で電波信号の送受信を行う。
【０００９】
ＲＦ（Ｒａｄｉｏ  Ｆｒｅｑｕｅｎｃｙ）部１０はアンテナ１１が受信した受信信号を中間周波数の信号に変換して変復調部２０へ出力する。また、ＲＦ部１０は変復調部２０から入力する送信信号を送信周波数の信号に変調し、アンテナ１１へ出力する。
【００１０】
変復調部２０は、ＲＦ部１０から入力した受信信号の復調処理と、ＣＤＭＡ部３０から入力した送信信号の変調処理とを行う。ＣＤＭＡ部３０は、受信信号の復号化処理、及び、送信信号の符号化処理を行う。
【００１１】
音声処理部４０は、マイクロホン４１から入力される音声信号をデジタル信号に変換してＣＤＭＡ部３０へ出力し、また、ＣＤＭＡ部３０からデジタルの音声信号を入力してアナログの音声信号に変換し、スピーカ４２へ出力して発音させる。
【００１２】
磁気センサ部５０は、互いに直交する所定のＸ軸・Ｙ軸・Ｚ軸の各々の軸方向の地磁気の強さを検出するＸ軸磁気センサ５２１、Ｙ軸磁気センサ５２２、Ｚ軸磁気センサ５２３と磁気センサ制御部５１とを備える。
図２は磁気センサ部５０の構成を示す。切換部５３、増幅器５４、Ａ／Ｄ変換器５５、クロックジェネレータ５６、シリアルデータインタフェース５７、データ入出力端子５８は、図１に示す磁気センサ制御部５１に対応する。切換器５３は、Ｘ軸磁気センサ５２１、Ｙ軸磁気センサ５２２、Ｚ軸磁気センサ５２３からの出力を一定周期で切り換えて増幅器５４へ出力する。増幅器５４は、各磁気センサから入力するアナログ信号を増幅する。Ａ／Ｄ変換器５５は、クロックジェネレータ５６からクロック信号の供給を受けて増幅器５４から入力するアナログ信号をデジタル信号に変換する。クロックジェネレータ５６は、クロック信号を生成してＡ／Ｄ変換器５５、及び、シリアルデータインタフェース５７に供給する。シリアルデータインタフェース５７は、Ａ／Ｄ変換器５５、及び、クロックジェネレータ５６を制御し、Ａ／Ｄ変換器５５から入力するデジタル信号をデータ入出力端子５８に出力する。データ入出力端子５８は、図１のバスライン９０と接続し、データの入出力を行う。
【００１３】
図１の主制御部６０はＣＤＭＡ端末１の各部を制御する。ＲＯＭ（Ｒｅａｄ  Ｏｎｌｙ  Ｍｅｍｏｒｙ）７０は、主制御部６０が実行するプログラム、ＣＤＭＡ端末１の移動を検知したときに送信する電子メールの本文等の定数データを格納する。ＲＡＭ（Ｒａｎｄｏｍ  Ａｃｃｅｓｓ  Ｍｅｍｏｒｙ）８０は、主制御部６０が使用するデータ、演算に用いる変数、及び、電子メールの送信先のメールアドレス等を記憶する。
表示部１００は主制御部６０から入力する表示用の信号に基づいて画像や文字等を表示する。盗難防止モード設定ボタン１１０は、盗難防止モードの設定及び解除を行うボタンである。報知手段１２０は、バイブレータ、発光ダイオードを備え、着信やメール受信等を、振動または光によってユーザに報知する。時計部１３０は主制御部６０に時刻を供給し、また、一定の時間間隔で主制御部６０に対してタイマ割込の信号を出力する。時間間隔は例えば予め時計部１３０に設定する。主操作部１４０は、テンキー、ファンクションキー等を備えユーザの指示内容を主制御部６０へ出力する。
【００１４】
次に上述したＣＤＭＡ端末１の動作を説明する。まず、図３を参照して、盗難防止モードの設定及び解除について説明する。
ユーザが盗難防止モード設定ボタン１１０を押すと（ステップＳ１０）、主制御部６０は、現在、盗難防止モードに設定されているか、解除された状態であるかを判定する（ステップＳ１１）。
現在、盗難防止モードが解除された状態である場合は、ステップＳ１１の判定結果が「Ｎｏ」となり、ステップＳ１２へ進む。主制御部６０は、磁気センサ部５０に対して、磁気センサＯＮ信号を出力する。これにより、磁気センサ部５０の電源がオンとされ、磁気センサ部５０が稼動状態となる（ステップＳ１２）。次に、主制御部６０は、モード設定を盗難防止モードに設定する。これにより、以後、盗難防止処理が実行される（ステップＳ１３）。
一方、盗難防止モード設定ボタン１１０が押された時点で盗難防止モードに設定されていた場合は、ステップＳ１１の判定結果が「Ｙｅｓ」となり、ステップＳ１４へ進む。主制御部６０は、盗難防止モードを解除し（ステップＳ１４）、次いで、磁気センサ部５０に対して、磁気センサＯＦＦ信号を出力する。これにより、磁気センサ部５０の電源がオフとされる（ステップＳ１５）。
【００１５】
次に、図４を参照して、上述した盗難防止処理の流れを説明する。
ユーザがＣＤＭＡ端末１を盗難防止モードに設定する場合、設定に先立って、ＣＤＭＡ端末１が移動を検知したときに電子メールを送信する宛先を主操作部１４０から入力する。例えば、ユーザの自宅のパソコン、ユーザが契約している通信事業者のパソコン等の電子メールアドレスを入力する。主制御部６０は、この電子メールアドレスをＲＡＭ８０に登録する。次に、ユーザは、前述の通り盗難防止モード設定ボタン１１０を押して盗難防止モードに設定し、例えばＣＤＭＡ端末１を机の上に置き、その場所を離れる。
【００１６】
時計部１３０は、盗難防止モードの設定、解除に関係なく、一定の時間間隔で、主制御部６０に対してタイマ割込の信号を出力する（ステップＳ２０）。主制御部６０は、現在、盗難防止モードに設定されているか、解除された状態であるかを判定する（ステップＳ２１）。
現在、盗難防止モードが解除された状態である場合は、ステップＳ２１の判定結果が「Ｎｏ」となり処理を終了する。
一方、盗難防止モードに設定されている場合は、ステップＳ２１の判定結果が「Ｙｅｓ」となり、ステップＳ２２へ進む。主制御部６０は、磁気センサ部５０の出力値を取り込む（ステップＳ２２）。いま、ＲＡＭ８０に書き込まれたＸ軸磁気センサ、Ｙ軸磁気センサ、Ｚ軸磁気センサの出力値をそれぞれＸｎ、Ｙｎ、Ｚｎとする。これらの値はＲＡＭ８０に確保された記憶領域に記憶される。
【００１７】
次に主制御部６０は、前回タイマ割込があったときに磁気センサ部５０から取り込んだ出力値であるＸ０、Ｙ０、Ｚ０と、これらとの差分を算出する（ステップＳ２３）。Ｘ軸磁気センサの出力値の差分ＭｘはＸｎ−Ｘ０、Ｙ軸磁気センサの出力値の差分ＭｙはＹｎ−Ｙ０、Ｚ軸磁気センサの出力値の差分ＭｚはＺｎ−Ｚ０により算出する。最初のタイマ割込においては、Ｘ０、Ｙ０、Ｚ０に値が設定されていないので、Ｍｘ、Ｍｙ、Ｍｚの値はすべて０とする。
次に主制御部６０は、Ｍｘ、Ｍｙ、Ｍｚのうち値が最大であるものをＭとする（ステップＳ２４）。Ｍｘ、Ｍｙ、Ｍｚのうちマイナスの値がある場合は、絶対値をとって比較する。
次に主制御部６０は、Ｘｎ、Ｙｎ、Ｚｎの値をそれぞれＸ０、Ｙ０、Ｚ０に設定する（ステップＳ２５）。ここで設定されたＸ０、Ｙ０、Ｚ０の値は、次回タイマ割込があったときに使用される。
【００１８】
次に主制御部６０は、Ｍが予め設定された閾値ＴＨより大きいか判定する（ステップＳ２６）。机に置かれたＣＤＭＡ端末１がそのままの状態であれば、角度または方位は変化しないので磁気センサ部５０が出力する値も変化せず、前回のタイマ割込のときに取り込んだ値との差分も生じない。したがって閾値ＴＨを越えることはないため判定結果が「Ｎｏ」となり、処理を終了する。
【００１９】
もし、机に置かれたＣＤＭＡ端末１を他人が持ち去ると、ＣＤＭＡ端末１を手で持ち上げて机から別の場所へ持っていくときに、ＣＤＭＡ端末１の地表面に対する角度またはＣＤＭＡ端末１が向いている方位が変化する。これによって前回のタイマ割込のときに取り込んだ値との差分を生じる。Ｍの値が閾値ＴＨを越える場合には判定結果が「Ｙｅｓ」となり、ステップＳ２７へ進み、主制御部６０は予め登録された連絡先に通知を行う（ステップＳ２７）。すなわち、主制御部６０は、ＲＯＭ７０からＣＤＭＡ端末１の移動の検知を通知する電子メール本文を読み出し、ＲＡＭ８０からユーザが登録した電子メールの宛先を読み出し、電子メールのプロトコルに基づいて、ＣＤＭＡ部３０、変復調部２０、ＲＦ部１０を介して電子メールを送信する。
【００２０】
なお、上記の実施形態においては地磁気センサを用いてＣＤＭＡ端末１の移動を検知したが、傾きセンサ、加速度センサ等の物理量センサを用いて検知してもよい。
なお、上記の実施形態においてはＣＤＭＡ端末１に組み込まれた盗難防止装置について説明したが、他の通信方式の携帯電話、ＰＤＡ、ノートパソコン等の他の携帯情報端末に組み込んでもよい。
【産業上の利用可能性】
【００２１】
この発明は、携帯電話、ＰＤＡ、ノートパソコン等の携帯情報端末に用いられる。
【図面の簡単な説明】
【００２２】
【図１】この発明の実施形態によるＣＤＭＡ端末１の構成を示す図である。
【図２】図１における磁気センサ部５０の構成を示す図である。
【図３】盗難防止モードの設定及び解除の処理の流れを示すフローチャートである。
【図４】ＣＤＭＡ端末１の移動を検知し通知を行う処理の流れを示すフローチャートである。
【符号の説明】
【００２３】
１…ＣＤＭＡ端末、１０…ＲＦ部、１１…アンテナ、２０…変復調部、３０…ＣＤＭＡ部、４０…音声処理部、４１…マイクロホン、４２…スピーカ、５０…磁気センサ部、５１…磁気センサ制御部、５２１…Ｘ軸磁気センサ、５２２…Ｙ軸磁気センサ、５２３…Ｚ軸磁気センサ、５３…切換器、５４…増幅器、５５…Ａ／Ｄ変換器、５６…クロックジェネレータ、５７…シリアルデータインタフェース、５８…データ入出力端子、６０…主制御部、７０…ＲＯＭ、８０…ＲＡＭ、９０…バスライン、１００…表示部、１１０…盗難防止モード設定ボタン、１２０…報知手段、１３０…時計部、１４０…主操作部
【図１】
2006126932.tif 000003
【図２】
2006126932.tif 000004
【図３】
2006126932.tif 000005
【図４】
2006126932.tif 000006